(57)【特許請求の範囲】
【請求項１】
内上ケースと内下ケースとを合わせて一体的に構成された内ケースと、
該内ケース内に収納され、凸部を有し、前記内上ケースと前記内下ケースとによって挟持された弾性体から成るシーリングラバーと、
前記内ケース内に収納され、押釦スイッチが載置されたプリント配線基板と、
前記内ケースを収納する外ケースとを備え、
前記シーリングラバーの前記凸部が前記内ケースを貫通して前記外ケースの内壁に弾接されたことを特徴とするキーレスエントリー装置の携帯機。
【請求項２】
前記シーリングラバーにフランジ部を有し、前記フランジ部を前記内上ケースの側壁の先端部と前記内下ケースの下壁との間に挟持させることにより前記内ケースの開口部内を密閉したことを特徴とする請求項１記載のキーレスエントリー装置の携帯機。
【請求項３】
前記シーリングラバーが上面部を有し、前記凸部が前記上面部のそれぞれの角部に形成され、前記凸部に対向して前記内上ケースの上壁にそれぞれ孔が形成され、前記凸部が前記孔に挿通されたことを特徴とする請求項１、又は２記載のキーレスエントリー装置の携帯機。
【請求項４】
前記押釦スイッチを操作する押釦部が、前記シーリングラバーと一体に形成され、前記押釦部が前記内ケースの孔を貫通し、前記外ケースから外方に突出されたことを特徴とする請求項１、２、又は３記載のキーレスエントリー装置の携帯機。
【発明の詳細な説明】
【０００１】
【発明の属する技術分野】
本発明は、自動車に用いられて好適なキーレスエントリー装置の携帯機に関する。
【０００２】
【従来の技術】
従来のキーレスエントリー装置の携帯機について図面を用いて説明する。
図７は、従来のキーレスエントリー装置の携帯機を示す平面図、図８は、図７の８−８線における要部断面図、図９は、図７の９−９線における要部断面図である。
【０００３】
図９に示すように、従来のキーレスエントリー装置の携帯機は、内ケース２１と、内ケース２１内に収納されたプリント配線基板２４と、内ケース２１を収納する外ケース２５と、内ケース２１内に収納され、プリント配線基板２４の防塵や防水のためのシーリングラバー２８とによって、主に構成されている。
【０００４】
内ケース２１は、例えば、合成樹脂材料から成り、成形加工によって、剛体に形成され、内上ケース２２と、内下ケース２３とを備え、内上ケース２２の開口部と、内下ケース２３の開口部とを合わせて一体的に構成されている。
また、内上ケース２２には、円形の孔２２ａと四方を囲む側壁２２ｂとが形成されている。
【０００５】
シーリングラバー２８は、例えば、ゴムなどの弾性材料から成り、成形加工によって、弾性体として形成され、上面部２８ａと、この上面部２８ａの外周部から略垂直に延設され、四方を囲む側面部２８ｂと、この側面部２８ｂの下端から外方に略垂直に延設されたフランジ部２８ｄとを備えて、一方が開口されている。また、上面部２８ａには、内上ケース２２の孔２２ａの位置に対応して外方に突出する円形の押釦部２８ｃが設けられ、この押釦部２８ｃの裏面中央部には、突部２８ｄが突設されている。
【０００６】
このシーリングラバー２８は、内ケース２１が組み立てられたとき、内下ケース２３の下壁２３ａと内上ケース２２の側壁２２ｂの先端部との間にフランジ部２８ｄが挟まれるように構成されている。これによって、シーリングラバー２８は、しっかりと内ケース２１内に固定されている。
【０００７】
プリント配線基板２４は、一方の面に押釦スイッチ２４ａと、水晶振動子や集積回路やチップ部品などの電気部品（図示せず）とが配設されている。このプリント配線基板２４上の押釦スイッチ２４ａと電気部品（図示せず）などとによって、例えば、送信機が構成されている。
【０００８】
このプリント配線基板２４は、内下ケース２３の下壁２３ａに適宜手段によって取り付けられている。
【０００９】
また、外ケース２５は、例えば、合成樹脂材料から成り、成形加工によって、剛体に形成され、外上ケース２６と、外下ケース２７とを備え、前記外上ケース２６には、円形の孔２６ａが形成されている。
そして、外上ケース２６の開口部と、外下ケース２７の開口部とを合わせ、ネジ２９にて一体的に構成されている。
【００１０】
この状態のとき、外ケース２５内には、内ケース２１が収納されている。そして、外上ケース２６の孔２６ａ内にシーリングラバー２８の押釦部２８ｃが挿通されて配設され、押釦部２８ｃの先端部が外上ケース２６から僅かに外方に突出している。
【００１１】
【発明が解決しようとする課題】
上述したように従来のキーレスエントリー装置の携帯機にあっては、剛体である内ケース２１が剛体である外ケース２５内に収納されていることから、ときには、内、外ケース２１、２５の形状寸法差によって、内ケース２１の外形寸法が、外ケース２５の内ケース２１を収納する空間部の寸法よりも小さいときは、内ケース２１が外ケース２５内でガタ付くことがあり、このガタ付きにて、この携帯機から異音が生じるという問題がある。
【００１２】
本発明は、上述の問題点を解決するもので、その目的は、携帯時の振動でも異音の生じないキーレスエントリー装置の携帯機を提供することである。
【００１３】
【課題を解決するための手段】
本発明のキーレスエントリー装置の携帯機は、内上ケースと内下ケースとを合わせて一体的に構成された内ケースと、内ケース内に収納され、凸部を有し、内上ケースと内下ケースとによって挟持された弾性体から成るシーリングラバーと、内ケース内に収納され、押釦スイッチが載置されたプリント配線基板と、内ケースを収納する外ケースとを備え、シーリングラバーの凸部が内ケースを貫通して外ケースの内壁に弾接されたことである。
【００１４】
また、本発明のキーレスエントリー装置の携帯機は、シーリングラバーにフランジ部を有し、フランジ部を内上ケースの側壁の先端部と内下ケースの下壁との間に挟持させることにより内ケースの開口部内を密閉したことである。
【００１５】
また、本発明のキーレスエントリー装置の携帯機は、シーリングラバーが上面部を有し、凸部が上面部のそれぞれの角部に形成され、凸部に対向して内上ケースの上壁にそれぞれ孔が形成され、凸部が孔に挿通されたことである。
【００１６】
また、本発明のキーレスエントリー装置の携帯機は、押釦スイッチを操作する押釦部が、シーリングラバーと一体に形成され、押釦部が内ケースの孔を貫通し、外ケースから外方に突出されたことである。
【００１７】
【発明の実施の形態】
本発明のキーレスエントリー装置の携帯機について図面を用いて説明する。
図１は、本発明のキーレスエントリー装置の携帯機の実施の形態を示す平面図、図２は、図１の２−２線における要部断面図、図３は、図１の３−３線における要部断面図、図４は、本発明のキーレスエントリー装置の携帯機の内ケースの実施の形態を示す平面図、図５は、図４の５−５線における要部断面図、図６は、図４の６−６線における要部断面図である。
【００１８】
図３に示すように、本発明のキーレスエントリー装置の携帯機は、内ケース１と、内ケース１内に収納されたプリント配線基板４と、内ケース１を収納する外ケース５と、内ケース１内に収納され、プリント配線基板４の防塵や防水のためのシーリングラバー８とによって、主に構成されている。
【００１９】
また、図５に示すように、内上ケース２は、例えば、合成樹脂材料から成り、成形加工によって、剛体にて形成され、略矩形の上壁２ａと、上壁２ａの外周部から略垂直に延設され、四方を囲む側壁２ｂと、上壁２ａの四角部の近傍のそれぞれに設けられた円形の小径孔２ｃと、上壁２ａの所定の箇所に設けられた円形の大径孔２ｄとを有している。また、側壁２ｂの外周面にはケース固定用の係合突部２ｅが形成されている。
そして、内上ケース２の四方を囲む前記側壁２ｂによって、開口部が形成されている。
【００２０】
内下ケース３は、例えば、合成樹脂材料から成り、成形加工によって、剛体にて形成され、略矩形の下壁３ａと、下壁３ａの外周部から略垂直に延設され、四方を囲む側壁３ｂと、下壁３ａの所定の箇所から内方に突出する複数個の円柱形の凸部３ｃと、下壁３ａの所定の箇所に設けられた電池ホルダ部３ｄとを有している。また、側壁３ｂの内周面には、前記内上ケース２の係合突部２ｅに嵌合する突条３ｅが形成されている。
そして、内下ケース３の四方を囲む前記側壁３ｂによって、開口部が形成されている。
【００２１】
そして、内下ケース３の開口部と内上ケース２の開口部とを合わせ、内下ケース３の突条３ｅと内上ケース２の係合突部２ｅとが嵌合されて、内下ケース３と内上ケース２とが確実に一体化され、これによって内ケース１が形成される。
【００２２】
シーリングラバー８は、例えば、ゴムなどの弾性材料から成り、成形加工によって、弾性体として形成され、略矩形の上面部８ａと、この上面部８ａの外周部から略垂直に延設され、四方を囲む側面部８ｂと、この側面部８ｂの下端から外方に略垂直に延設されたフランジ部８ｃとを備えて、一方が開口されている。また、上面部８ａには、内上ケース２の大径孔２ｄの位置に対応して外方に突出する円形の押釦部８ｄが設けられ、この押釦部８ｄの裏面中央部には、突部８ｅが突設されている。
【００２３】
また、上面部８ａの四角部には、内上ケース２の小径孔２ｃの位置に対応して外方に突出する円柱形の凸部８ｆがそれぞれ設けられ、前記側面部８ｂの内側には、プリント配線基板４の外周縁が嵌合される溝部８ｇが全周にわたって形成されている。
【００２４】
このシーリングラバー８は、内ケース１が組み立てられたとき、内下ケース３の下壁３ａと内上ケース２の側壁２ｂの先端部との間にフランジ部８ｃが挟まれるように構成されている。これによって、シーリングラバー８は、しっかりと内ケース１内に固定され、且つ、フランジ部８ｃは内下ケース３の下壁３ａに圧接させることができ、シーリングラバー８内に塵埃や水滴などが侵入するのを防止することができる。
【００２５】
また、この内ケース１が組み立てられたとき、シーリングラバー８の押釦部８ｄは、内上ケース２の大径孔２ｄから外方に突出し、各凸部８ｆは、各小径孔２ｃから外方に僅かに突出されて配設されている。
【００２６】
プリント配線基板４は、一方の面に押釦スイッチ４ａと、例えば、水晶振動子や集積回路素子やチップ部品などの電気部品４ｂとが配設されている。このプリント配線基板４上の押釦スイッチ４ａと電気部品４ｂとによって、所定の周波数の電波を送信する送信機が構成されている。
【００２７】
このプリント配線基板４は、シーリングラバー８の溝部８ｇにその外周縁が嵌合されると共に、内下ケース３の凸部３ｃ上に載置されている。この状態のとき、プリント配線基板４は、シーリングラバー８内に収納され、押釦スイッチ４ａは、シーリングラバー８の突部８ｅと対向するように配設されている。
【００２８】
電池９は、例えば、いわゆるボタン電池からなり、所定の電圧を有している。この電池９は、前記内下ケース３の電池ホルダ部３ｄ内に収納されている。
そして、この状態のとき、即ち、プリント配線基板４と電池９とが配設された内ケース１は、例えば、所定の周波数の電波を送信する送信機として機能し、組み立てられた内ケース１にて送信機としての機能検査をすることが出来る。
【００２９】
また、図２に示すように、外上ケース６は、例えば、合成樹脂材料から成り、成形加工によって、剛体にて形成され、略矩形の上壁６ａと、上壁６ａの外周から略垂直に延設され、四方を囲む側壁６ｂと、上壁６ａの略中央部に形成された傾斜面を有する円形の孔６ｃと、対向する側壁６ｂのうち一方の側壁６ｂに設けられた長円孔６ｄとを備えている。
そして、外上ケース６の四方を囲む側壁６ｂによって、開口部が形成されている。
【００３０】
外下ケース７は、例えば、合成樹脂材料から成り、成形加工によって、剛体にて形成され、略矩形の下壁７ａと、下壁７ａの外周から略垂直に延設され、四方を囲む側壁７ｂと、対向する側壁７ｂのうちの一方の側壁７ｂに設けられた円形の孔７ｃと、他方の側壁７ｂに設けられた長円孔７ｄとを備えている。
そして、外下ケース７の四方を囲む側壁７ｂによって、開口部が形成されている。
【００３１】
前記外上ケース６の開口部と、前記外下ケース７の開口部とを合わせ、例えば、ネジ１０によって一体的に構成すると、外上ケース６の長円孔６ｄと外下ケース７の長円孔７ｄとが重なり合って、貫通された状態になる。
【００３２】
この状態のとき、外上ケース６と、外下ケース７とによって構成される外ケース５内には、内ケース１が収納されている。また、このときシーリングラバー８の押釦部８ｄは、外上ケース６の孔６ｃに挿通され、押釦部８ｄの先端部は、外上ケース６の上壁６ａから外方に突出している。
【００３３】
また、このときシーリングラバー８の各凸部８ｆの先端部は、内ケース１を貫通して外上ケース６の上壁６ａの内面にそれぞれ弾接されている。この各凸部８ｆの上壁６ａの内面への弾接によって、内ケース１が外ケース５内にしっかりと確実に保持される。
【００３４】
また、キー１１は、金属材料から成り、例えば切削加工にて形成され、例えば自動車用のエンジンキーやドアキーとして形成されている。このキー１１は、一方の端部が前記外上ケース６の側壁６ｂに、例えばインサートモールド加工などで埋め込まれてキー１１と側壁６ｂとが一体化されている。この状態のとき、キー１１の他方の端部は、前記側壁６ｂから外方に突出されて設けられている。
【００３５】
次ぎに、このキーレスエントリー装置の携帯機の動作について説明する。
先ず、外上ケース６の孔６ｃから突出されたシーリングラバー８の押釦部８ｄに押圧力（図２の矢印Ａ方向）を加えると、この押圧力によって押釦部８ｄが押し込まれ、この押釦部８ｄの移動で、プリント配線基板４の押釦スイッチ４ａがオンされる。そして押釦スイッチ４ａのオン動作によって、プリント配線基板４の各電気部品４ｂが動作され、所定の周波数を送信するように動作する。
【００３６】
次ぎに、押釦部８ｄへの押圧力を解除すると、押釦スイッチ４ａの自己復帰力と押釦部８ｄの自己復帰力とによって、押釦部８ｄが初期の位置に復帰し、且つ、押釦スイッチ４ａがオフとなり、所定の周波数の送信は止まる。
【００３７】
なお、上述の実施の形態では、シーリングラバー８の上面部８ａに凸部８ｆを形成し、この凸部８ｆの先端部が外上ケース６の内壁に弾接したが、これに限定させず、この凸部を例えば、シーリングラバーの側面部の側面、或いは下端に設け、外ケースの側壁、或いは下壁に弾接させても良い。
【００３８】
なお、上述の実施の形態では、押釦スイッチとして図示のような単体として完成された押釦スイッチについて説明したが、これに限定されず、例えば、プリント配線基板の一部を固定接点とし、この固定接点上にお椀形状であって凹部天面に可動接点を形成したゴム接点を配置した、いわゆるラバースイッチであっても良く、また、シーリングラバーの押釦部の裏面に直接可動接点を形成したようなものであっても良い。
なお、上述の実施の形態では、この携帯機を送信機として形成したが、これに限定されず、受信機であっても、また送受信機であっても良い。
【００３９】
【発明の効果】
以上のように、本発明によれば、シーリングラバーの凸部が内ケースを貫通して外ケースの内壁に弾接されたことによって、内ケースが外ケース内でガタ付くことがないことから異音の生じない携帯機を提供することが出来るという効果を奏する。
【００４０】
また、本発明によれば、シーリングラバーが上面部を有し、凸部が上面部のそれぞれの角部に形成されていることによって、凸部が均等に外ケースの内壁に弾接されるので、内ケースのガタツキが一層確実に無くなるという効果を奏する。
【００４１】
また、本発明によれば、押釦スイッチを操作する押釦部が、シーリングラバーと一体に形成されていることによって、部品点数の少ない安価な携帯機を提供することが出来る。
【図面の簡単な説明】
【図１】本発明のキーレスエントリー装置の携帯機の実施の形態を示す平面図である。
【図２】図１の２−２線における要部断面図である。
【図３】図１の３−３線における要部断面図である。
【図４】本発明のキーレスエントリー装置の携帯機の内ケースの実施の形態を示す平面図である。
【図５】図４の５−５線における要部断面図である。
【図６】図４の６−６線における要部断面図である。
【図７】従来のキーレスエントリー装置の携帯機を示す平面図である。
【図８】図７の８−８線における要部断面図である。
【図９】図７の９−９線における要部断面図である。
【符号の説明】
１    内ケース
２    内上ケース
２ａ  上壁
２ｃ  小径孔
３    内下ケース
３ａ  下壁
４    プリント配線基板
４ａ  押釦スイッチ
４ｂ  電気部品
５    外ケース
６    外上ケース
６ｃ  孔
７    外下ケース
８    シーリングラバー
８ａ  上面部
８ｄ  押釦部
８ｃ  フランジ部
８ｆ  凸部
【図１】
0003793383.tif 000002
【図２】
0003793383.tif 000003
【図３】
0003793383.tif 000004
【図４】
0003793383.tif 000005
【図５】
0003793383.tif 000006
【図６】
0003793383.tif 000007
【図７】
0003793383.tif 000008
【図８】
0003793383.tif 000009
【図９】
0003793383.tif 000010